(57)【要約】【課題】この発明は、簡便にして容易な着脱操作を実現したうえで、信頼性の高い確実な装着を実現し得るようにすることにある。【解決手段】電池本体１３及び制御部１４をケース本体１０に密閉収容して、このケース本体１０に上記電池本体１３及び制御部１４と電気的に接続される接続コネクタ１５を突設し、この接続コネクタ１５を電動リール２０の外部電源接続用の給電接続部２１に給電可能に装着した状態で、ケース本体１０に配したナット部材１９を用いて電動リール２０に取付けるように構成した。【選択図】図２
2006149368.tif 000002
【特許請求の範囲】
【請求項１】
電池が密閉収容されるもので、該電池に電気的に接続され、魚釣用リールの外部電源接続用の給電接続部に給電可能に装着される接続コネクタが突設されたケース本体と、
このケース本体の前記接続コネクタが前記魚釣用リールの外部電源接続用の給電接続部に給電可能に装着された状態で、前記ケース本体を前記魚釣用リールに取付ける保持手段と、
を具備することを特徴とする魚釣用バッテリ装置。
【請求項２】
前記保持手段は、前記接続コネクタと前記給電接続部との間を覆うことを特徴とする請求項１記載の魚釣用バッテリ装置。
【請求項３】
前記接続コネクタは、基端部側が前記ケース本体内に固定されることを特徴とする請求項１又は２記載の魚釣用バッテリ装置。
【請求項４】
前記接続コネクタの基端部側はケース本体の筒状部で支持されていることを特徴とする請求項１乃至３のいずれか記載の魚釣用バッテリ装置。
【請求項５】
前記接続コネクタは、ケース本体よりも柔らかい材料で形成され、可撓性を有することを特徴とする請求項１乃至４のいずれか記載の魚釣用バッテリ装置。
【請求項６】
前記保持手段は、前記ケース本体にナット部材を回転操作自在に設け、前記魚釣用リールの給電接続部に螺子部を設け、前記ナット部材の回転操作により前記螺子部に螺合させて相互間を位置決めすることを特徴とする請求項１乃至５のいずれか記載の魚釣用バッテリ装置。
【請求項７】
前記接続コネクタは、前記ケース本体の重心の上方に突設したことを特徴とする請求項１乃至７のいずれか記載の魚釣用バッテリ装置。
【請求項８】
前記ケース本体には、前記接続コネクタの先端に着脱自在に装着される保護キャップを備えることを特徴とする請求項１乃至８のいずれか記載の魚釣用バッテリ装置。
【請求項９】
ケース本体が保持手段の周りを囲んでいることを特徴とする請求項１乃至８のいずれか記載の魚釣用バッテリ装置。
【請求項１０】
前記接続コネクタは、前記ケース本体に別体の取付体を介して取付け配置されることを特徴とする請求項１乃至８のいずれか記載の魚釣用バッテリ装置。
【発明の詳細な説明】
【技術分野】
【０００１】
この発明は、例えば釣糸が巻回されるスプールを回転駆動する駆動用モータを備えた魚釣用リールに電力を供給するのに用いられる魚釣用バッテリ装置に関する。
【背景技術】
【０００２】
最近、船釣等の深場あるいは沖合いでの釣りにおいては、釣糸が巻回されるスプールを駆動用モータで駆動するいわゆる電動リールが多く使用されている。このような電動リールのスプール駆動用モータに給電する手段としては、バッテリ装置を釣り位置から離れた場所に設置し、長い給電コードを用いてスプール駆動用モータの内蔵されるリール本体に設けた給電接続部に対して電力を給電する方式が知られている（例えば、特許文献１及び２参照。）。
【０００３】
ところが、このような長い給電コードを介して、魚釣用リールとこれから遠く離れたバッテリ装置とを接続する場合には、長い給電コード自体が邪魔になることに加え、魚の当たりを待ったり、あるいは誘い操作や魚の取込み操作の際に、その長い給電コードで釣竿の動きが制約され、誘い操作や魚の取込み操作等を思い通りに自由に行うことができず、操作性が劣るという不都合を有する。
【０００４】
そこで、電動リールのスプール駆動用モータに給電する手段には、電動リールと一対一の関係を有する専用の電池ボックスを用いて給電コードを用いない方式が提案されている（例えば、特許文献３参照）。この給電する手段は、その電池ボックスに接続端子を兼用する金属製ボルトを回転操作自在に設ける。そして、他方の電動リールには、その竿尻側に、スプール駆動用モータに電気的に接続される接続端子を兼用する螺子穴を設け、この螺子穴に対して上記電池ボックスのボルトを螺合させることで、相互間の電気的な接続と共に、相互間の取付け固定を行うように構成される。
【特許文献１】特開２０００−２７６７６号公報
【特許文献２】特開平１０−２１５７３７号公報
【特許文献３】実開平３−７６４６５号公報
【発明の開示】
【発明が解決しようとする課題】
【０００５】
しかしながら、上記電動リールへの給電する手段では、電池ボックスを、接続端子を兼用する金属製ボルトにより、電動リールの螺子穴に螺合させて電気的接続及び取付け固定を行う構成のために、乱暴に扱ったりすると、電池ボックスが破損し、安定した給電が困難となるという問題を有する。
【０００６】
この発明は、上記の事情に鑑みてなされたもので、簡便にして容易な着脱操作を実現したうえで、信頼性の高い確実な装着を実現し得るようにした魚釣用バッテリ装置を提供することを目的とする。
【課題を解決するための手段】
【０００７】
この発明は、電池が密閉収容されるもので、該電池に電気的に接続され、魚釣用リールの外部電源接続用の給電接続部に給電可能に装着される接続コネクタが突設されたケース本体と、このケース本体の前記接続コネクタが前記魚釣用リールの外部電源接続用の給電接続部に給電可能に装着された状態で、前記ケース本体を前記魚釣用リールに取付ける保持手段とを備えて魚釣用バッテリ装置を構成した。
【０００８】
上記構成によれば、ケース本体は、その接続コネクタが魚釣用リールの給電接続部に装着されて保持手段を介して魚釣用リールに取付けられることにより、相互間の確実な電気的接続と共に、相互間の堅牢な組付けが可能となる。これにより、厳しい釣環境においても、簡便にして容易な着脱操作が実現され、しかも、比較的、乱暴な竿操作に耐えることが可能となる。
【発明の効果】
【０００９】
以上述べたように、この発明によれば、魚釣用リールへの魚釣用バッテリの取付けを実現したうえで、確実な装着を実現し得るようにした魚釣用バッテリ装置を提供することができる。
【発明を実施するための最良の形態】
【００１０】
以下、この発明の実施の形態について、図面を参照して詳細に説明する。  
図１は、この発明の第１の実施の形態に係る魚釣用バッテリ装置を示すもので、ケース本体１０は、合成樹脂等で形成されて、収容部１１上に蓋部１２が分離形成され、その内部には、例えばリチウムイオン電池等の電池本体１３及び充放電制御用制御部１４が収容されて相互間が接着剤等を用いて接合されて密閉収容される。この電池本体１３及び制御部１４が密閉収容されたケース本体１０は、例えば図２に示す周知の電動リール２０の例えば下部前方に配される外部電源接続用の給電接続部２１に、例えば船の電力源、発電機、大型バッテリ等の外部電源から延びる周知の給電コードに代えて装着されて吊着され、該電動リール２０への給電を実行し、スプール駆動モータを駆動する。
【００１１】
即ち、上記蓋部１２には、取付け穴部１２１が上記ケース本体１０の重心Ｇを通る上面（取付け面）の略中央部に設けられる。取付け穴部１２１は、上記上面に重心Ｇから遠ざかる方向（上方）へ突出する筒状部１２３の上端に，その開口１２４を有する。この取付け穴部１２１には、その内部に上記制御部１４に電気的に接続される接続コネクタ１５の基端部側が接着剤で固定され、また、支持部を構成する取付け部材１６を介して支持されて接続コネクタ１５が重心Ｇから遠ざかる上方へ向けて突設され、その先端側部が筒状部１２３の取付け穴部１２１の開口１２４から突出された状態で、取付け穴部２１との間に配した上記接着剤またはパッキン部材１７を介して封止されて配される。このように接続コネクタ１５の基端部側がケース本体１０内に固定され、その先端部側はケース本体１０の開口１２４から突出する。
【００１２】
接続コネクタ１５の基端部側に取付け部材１６が係合される。この取付け部材１６は、接続コネクタ１５の外周方向に突出し、筒状部１２３の突部１２５の下端部に当接することで接続コネクタ１５が取付け穴部１２１の開口１２４からの抜け出しを防止するよう係止される。更に、取付け部材１６は、接続コネクタ１５と取付け穴部１２１間の間隙を閉塞し、ケース本体１０への水の侵入を防止し、また、接続コネクタ１５のケース本体１０への取付けの際の接着剤の侵入も防止している。
【００１３】
また、筒状部１２３の取付け穴部１２１は円筒状で、接続コネクタ１５は円柱状とするなど、接続コネクタ１５の外形は、取付け穴部１２１の内側に合致した形状に形成され、この取付け穴部１２１内に差し込まれている。この接続コネクタ１５の外側は筒状部１２３の取付け穴部１２１内に支えられて安定して支持され、接続コネクタ１５の外側の筒状部１２３の取付け穴部１２１の内側への接着剤による固定も確実になる。
【００１４】
さらに、取付け穴部１２１が筒状の突部１２５内まで延設されており、接続コネクタ１５は、突部１２５の取付け穴部１２１内においても接着剤で固定される。この接続コネクタ１５の基端部側がケース本体１０の内側から外側にかけて筒状部１２３の取付け穴部１２１で支持されるため強固に支持でき安定する。
【００１５】
また、ケース本体１０は、接続コネクタ１５よりも可撓性が小さく、硬い材料の合成樹脂で形成しているため、筒状部１２３は接続コネクタ１５より硬く可撓性が小さい、したがって、ケース本体１０より大きな可撓性を有する接続コネクタ１５が撓んでもケース本体１０にて確実に保持し、電動リール２０に取り付けた魚釣用バッテリ装置のぶれが防止され、安定する。
【００１６】
これにより、接続コネクタ１５は、ケース本体１０内に液密状態で位置決めされて固定され、しかも、堅牢に組付けることが可能となる。また、筒状部１２３は、ケース本体１０内に延長して形成された筒状の突部１２５を有し、この突部１２５においても接続コネクタ１５の基端部側が支持されるため，接続コネクタ１５を支持する部分が大きくなり、安定してケース本体１０に支持される。また、突部１２５を設けたことで接続コネクタ１５を支持する筒状部１２３の上方への突出を少なくできる。
【００１７】
この接続コネクタ１５は、例えば可撓性を有し、ケース本体１０よりも柔らかい非導電性の樹脂材料で形成され、いわゆるソケット型コンセントを構成する一対の凹状接続端子１５１が設けられる。この凹状接続端子１５１は、その基端において、上記制御部１４に電気的に接続される。ここで、接続コネクタ１５は、ケース本体１０の内側面に液密状態で接着により固定されて取付けられた状態で、接続コネクタ１５の先端部側がケース本体１０の開口１２４から直接ケース本体１０の外側へ突出し、その凹状接続端子１５１が制御部１４に電気的に接続されることで、その配線系統の保護が図れて、上記電動リール２０の給電接続部２１への繰り返し着脱操作を安定して行うことが可能となる。なお、接続コネクタ１５の蓋部１２の取付け穴部１２１からの突出量Ｔとしては、１〜４０ｍｍ程度が好ましい。
【００１８】
また、上記蓋部１２の筒状部１２３には、その周囲部に例えば絶縁性を有する樹脂材料で形成される弾性腕部１８の一端が弾性変形自在に取付けられ、この弾性腕部１８の先端部には、非導電性の保護キャップ１８１が上記接続コネクタ１５の先端部に対応して設けられる。これにより、保護キャップ１８１は、ケース本体１０の接続コネクタ１５が電動リール２０の給電接続部２１から離脱された状態で、その弾性腕部１８の弾性変形を利用して上記接続コネクタ１５の先端部に装着される。これにより、ケース本体１０は、例えば携帯時等においても、露出された接続コネクタ１５の凹状接続端子１５１の周囲部との電気的接続が防止される。
【００１９】
さらに、上記蓋部１２の取付け穴部１２１には、接続コネクタ１５と電動リール２０の給電接続部２１を接続した時の抜止め手段を構成する、例えばナット部材１９が回転操作自在に設けられる。このナット部材１９は、上記接続コネクタ１５が上記電動リール２０の給電接続部２１に装着された状態で、該給電接続部２１の後述する口金部２２の螺子部２３に螺合されて締付けられると、接続コネクタ１５の係合部１５２をリール方向に押圧してケース本体１０を電動リール２０に吊着される如く取付ける。
【００２０】
ここで、上記ケース本体１０の接続コネクタ１５を介して給電される電動リール２０には、図示しないスプール、スプール駆動モータ及びマイクロコンピュータで構成される制御部が内装され、その給電接続部２１に電力が給電されると、スプール駆動モータを駆動させることができるが、上記制御部（図示せず）が上記スプール駆動モータ（図示せず）を駆動制御して、上記スプール（図示せず）の回転速度が制御され、釣糸の巻取り速度が制御される。
【００２１】
即ち、上記給電接続部２１には、上記螺子部２３の設けられた金属製の口金部２２が、例えば電動リールが釣竿に取付けられた状態で、垂直かつ下方に向けて開口した防水構造に形成され、この口金部２２内には、例えば一対のピン形の接続端子２４が上記ケース本体１０の接続コネクタ１５の一対の凹状接続端子１５１に対応して突出される。これにより、給電接続部２１は、上記ケース本体１０の接続コネクタ１５が挿入されると、その口金部２２の接続端子２４が接続コネクタ１５の凹状接続端子１５１に挿入されて相互間が電気的に接続される。
【００２２】
ここで、この給電接続部２１は、その接続端子２４が口金部２２内において封止構造で配され、これら口金部２２及び接続端子２４の周部から電動リール２０内に水等の流体が浸入するのを防止する、いわゆる液密構造に形成される。また、給電接続部２１の口金部２２は、その周囲部の螺子部２３に対して上記ケース本体１０の金属製のナット部材１９が螺合されると、ナット部材１９（保持手段）は、接続コネクタ１５と給電接続部２１が接続された状態で、両者間の接続部となる給電接続部２１の開口の周囲を覆って螺合されるため、ケース本体１０の接続コネクタ１５との間の液密構造を維持しつつ強固な一体構造に連結されて、この給電接続部２１から電動リール２０内に水が浸入するのを防止すると共に、その離脱が防止される。
【００２３】
また、電動リール２０の給電接続部２１には、例えば非導電性樹脂材料製の弾性腕部２５の基端部が弾性変形自在に支持され、この弾性腕部２５の先端には、非導電性の保護キャップ２５１が上記口金部２２に対応して設けられる。これにより、電動リール２０は、使用しない場合、給電接続部２１の口金部２２に対して保護キャップ２５１を嵌挿することにより、その口金部２２及び電極端子２４が保護される。
【００２４】
このように形成した電動リール２０の給電接続部２１には、例えば上記ケース本体１０の接続コネクタ１５の装着に代えて、外部設置型のバッテリ装置に配線接続され図示しない給電コードのケーブルコネクタを接続して、この外部設置型のバッテリ装置より給電することも可能である。
【００２５】
上記構成により、ケース本体１０は、接続コネクタ１５を、竿杆３０に取付けられた電動リール２０の給電接続部２１の口金部２２に挿入すると、その凹状接続端子１５１内に口金部２２内の接続端子２４が挿入されて相互間が電気的に接続される。ここで、ケース本体１０は、ナット部材１９が回転操作されて、電動リール２０の口金部２２の螺子部２３に螺合させて締付けると、接続コネクタ１５の係合部１５２が同方向に押圧されることで、電動リール２０の口金部２２に取付けられる（図３及び図４参照）。これにより、ケース本体１０は、その上面の略中央部に重心Ｇから上方に向けて突設された単一の接続コネクタ１５が電動リール２０の給電接続部２１に脱落が防止された状態で装着され、該電動リール２０にバランス良く吊着されて組付けられ、給電コードを用いないで直接電動リール２０に取付け保持することができる。
【００２６】
このケース本体１０の電動リール２０への装着状態において、釣り人は、竿杆３０の握り部３０１及び電動リール２０を握持することで、ケース本体１０を直接的に支えながら竿操作が行われる。この際、接続コネクタ１５は、ケース本体１０を形成する材料よりも柔らかい材料で形成され、ケース本体１０よりも大きな可撓性を有することで、例えば釣竿を上下にあおるなどの誘いや、電動リール２０の巻き取りなどの釣りの操作によって電動リール２０に装着された魚釣用バッテリ装置が振り動かされるような力が加わっても、接続コネクタ１５が撓んでその振動を緩和するため、電動リール２０への取り付けガタ感が緩和され、魚釣用バッテリ装置の接続コネクタ１５などの損傷等の破損防止が図れて、厳しい釣環境における使用にも耐えることができる。また、接続コネクタ１５がケース本体１０より柔らかい材料で形成され、ケース本体１０よりも大きな可撓性を有していることで、接続コネクタ１５のケース本体１０への固定部、ケース本体１０、更にこの魚釣用バッテリ装置が装着される電動リール２０の給電接続部２１の破損についても防止することができる。接続コネクタ１５は、竿操作時、ケース本体１０の重心Ｇを通る取付け面上に配置され，重心Ｇの上方にてケース本体１０の上方に向けて突出するように設けられることで、その負荷が最小限となることで、この点からも接続コネクタ１５の破損防止が図られている。一方、接続コネクタ１５に対しケース本体１０は、可撓性が小さく、硬い材料の合成樹脂で形成することで、大きな可撓性を有する接続コネクタ１５が撓んでもケース本体１０の歪みを小さくでき、接続コネクタ１５を確実に保持し、電動リール２０に対する魚釣用バッテリ装置全体の揺動や歪みを防止する。
【００２７】
さらに、ケース本体１０を他物にぶつけたときなどの外側からの負荷に対応してその破損を防止するため、内部に収納した電池本体１３を保護することができる。また、内部に収納した電池本体１３を保護するため、その取り出しができないようになっていることに加えて、収容部１１と蓋部１２の接合部は溶着などで水が侵入しないように接合されており、電池本体１３は、ケース本体１０内に密閉収容されている。
【００２８】
保持手段のナット部材１９は、その内側に接続コネクタ１５が挿通されて、ナット部材１９の内側に接続コネクタ１５が、ナット部材１９の外側にケース本体１０（筒状部１２３）がナット部材１９の周りを囲んでいる。保持手段のナット部材１９は、両者と近設または一部が接触した状態で魚釣り用バッテリ装置に保持されており、ナット部材１９の回動操作は接続コネクタ１５とケース本体１０（筒状部１２３）に摺接しながら行われるため回動方向が誘導されて安定して電動リール２０の給電接続部２１に取り付けができる。
【００２９】
また、電動リール２０の給電接続部２１に取り付けた状態においては、保持手段のナット部材１９は、その内側は接続コネクタ１５の外側に当接され、その外側はケース本体１０（筒状部１２３）が当接するか、又は、少なくとも接続コネクタ１５がその可撓性により撓ったときにケース本体１０（筒状部１２３）が当接するようになっている。
【００３０】
したがって、釣りの操作で魚釣用バッテリ装置が振動してもその振動が緩和され、ナット部材１９の電動リール２０の給電接続部２１に対する緩みが防止され、また、ナット部材１９とケース本体１０（筒状部１２３）が当接することでケース本体１０の振動も緩和されるため、接続コネクタ１５のケース本体１０（筒状部１２３）への取り付け状態が維持され、この部分が剥離するなどの破損が防止できる。ナット部材１９は接続コネクタ１５より硬い材料で形成され、ナット部材が当接してその撓りが緩和される。
【００３１】
なお、ナット部材１９は接続コネクタ１５に沿って上下に移動できるようになっているが、係合部１５２を更に下方に設けてナット部材１９が回動するだけで上下に移動しないように形成しても良く、この場合でも、ナット部材１９の少なくとも下方側の部分はケース本体１０（筒状部１２３）にその周りを囲まれるように形成するのが好ましい。また、ケース本体１０の上方側に設けた保持手段のナット部材１９は、ケース本体１０よりもその周方向において突出しないように形成され、釣りをしている時に不用意に触れて破損したり、電動リール２０への取り付けが緩んだりすることが防止されている。
【００３２】
ここで、釣竿３０における保持スペースは、通常の手動式魚釣リールと略同様に制限されることなく、いわゆる手持ち感覚での上下誘い操作や巻取り操作等で電動リール２０と一体的に取扱い操作することができ、接続コネクタ１５がケース本体１０に固定され、保持手段により電動リール２０に対し、ケース本体１０の脱落が防止されて取付けられるため、釣り人は、ケース本体１０が邪魔になることなく、所望の魚釣操作を快適に行うことができ，魚釣用バッテリ装置の破損も防止できる。
【００３３】
また、釣途中において、ケース本体１０内の電池本体１３の電気エネルギが消耗した場合には、上記装着動作と略逆の操作を行って電動リール２０から離脱させ、その後、予め用意して置いた充電済みの新たなものと、交換使用することにより、長時間にわたる電動リール２０の使用が可能である。このように電動リール２０と共に、手で持って釣りが可能なまでの軽量化を図っていることで、容易な携帯が可能となり実現される。このような魚釣用バッテリ装置の重量は５００ｇ以下で使用できるようになるが、一般の釣り人が、半日、疲れを感じないで釣りを行うには３００ｇ以下が好ましく、場合によって３０ｇ以下にすることもできる。
【００３４】
このように、上記魚釣用バッテリ装置は、電池本体１３及び制御部１４をケース本体１０に密閉収容して、このケース本体１０に上記電池本体１３及び制御部１４と電気的に接続される接続コネクタ１５を突設し、この接続コネクタ１５を電動リール２０の外部電源接続用の給電接続部２１に給電可能に装着した状態で、ケース本体１０に配したナット部材１９を用いて電動リール２０に取付けるように構成した。
【００３５】
これによれば、ケース本体１０は、その接続コネクタ１５が電動リール２０の給電接続部２１に電気的に接続された状態で、ナット部材１９を介して電動リール２０に取付けられることにより、相互間の確実な電気的接続と共に、相互間の堅牢な組付けが可能となる。これにより、厳しい釣環境においても、簡便にして容易な着脱操作が実現され、しかも、比較的、乱暴な竿操作に耐えることができて、魚釣用バッテリ装置が、接続コネクタ１５の可撓性により振動しても電動リール２０の給電接続部２１とナット部材１９の保持手段による保持は維持され、その脱落が防止され、ケース本体１０が邪魔になることなく、所望の魚釣操作を快適に行うことが可能となる。
【００３６】
なお、この発明は、上記第１の実施の形態に限ることなく、その他、例えば図４乃至図６に示す第２の実施の形態、図７に示す第３の実施の形態、図８に示す第４の実施の形態の如く構成することも可能で、いずれの実施の形態においても上記第１の実施の形態と同様の効果が期待される。但し、これら図４乃至図８においては、上記図１乃至図３と同一部分について同一符号を付して、その詳細な説明を省略する。
【００３７】
先ず、図４乃至図６に示す第２の実施の形態においては、ケース本体１０を電動リール２０の給電接続部２１に取付けるためのその離脱を防止する保持手段として、上記ケース本体１０の蓋部１２の取付け穴部１２１の周囲に複数の弾性係止部１２２を所定の間隔に設け、電動リール２０の給電接続部２１の口金部２２に複数の凹状係止部２２１を上記複数の弾性係止部１２２に対応して設ける。
【００３８】
上記構成により、ケース本体１０は、接続コネクタ１５を、竿杆２０に取付けられた電動リール２０の給電接続部２１の口金部２２に挿入すると、その凹状接続端子１５１内に口金部２２内の接続端子２４が挿入されて相互間が電気的に接続される。同時に、ケース本体１０は、蓋部１２の弾性係止部１２２が、その弾性力により電動リール２０の給電接続部２１の口金部２２の凹状係止部２２１に弾性係合され、電動リール２０の口金部２２に取付けられる（図５及び図６参照）。第２の実施の形態の弾性係止部１２２（保持手段）は、第１の実施の形態の電動リール２０の給電接続部２１のように凹状係止部２２１を有していなくとも、螺子部２３の凹凸に係止されて止着される。
【００３９】
また、図７に示す第３の実施の形態においては、ケース本体１０ａを、収容部１１ａと接続コネクタ１５ａが一体的に突設形成された蓋部１２ａで形成して、この収容部１１ａと蓋部１２ａとで、上記電池本体１３及び制御部１４を密閉収容するように構成したものである。この接続コネクタ１５ａには、同様に一対の凹状接続端子１５１ａが設けられ、この凹状接続端子１５１が上記制御部１４に電気的に接続される。そして、この接続コネクタ１５の周囲部には、リング状の係合部１５２ａが設けられ、この係合部１５２ａに対応してナット部材１９ａが回転操作自在に設けられる。接続コネクタ１５ａは、電池本体１３を収納したケース本体１０ａの収容部１１ａよりも柔らかい材料の合成樹脂で形成され、収容部１１ａよりも大きな可撓性を有している。この接続コネクタ１５ａは、ケース本体１０ａの蓋部１２ａと一体的に形成され、ケース本体１０ａの上部側は接続コネクタ１５ａと同様の材料で形成され、収容部１１ａと蓋部１２ａは水が侵入しないように溶着又は接着されている。
【００４０】
接続コネクタ１５ａは、魚釣用バッテリ装置が振動した時に撓んで振動を緩和し、同時にケース本体１０ａの上部側の蓋部１２ａも撓んで振動を緩和し、電池本体１３を収納したケース本体１０ａの収容部１１ａは蓋部１２ａよりも硬い材料の合成樹脂で形成され、他物にぶつけたときなど外側からの負荷に対応してその破損を防止するため、内部に収納した電池本体１３を保護する。
【００４１】
また、保持手段のナット部材１９ａは、その内側に接続コネクタ１５ａが挿通されて、ナット部材１９ａの内側に接続コネクタ１５ａが、外側にケース本体１０ａ（筒状部１２３ａ）がナット部材１９ａを囲むように配され、両者と近設または一部が接触した状態で魚釣り用バッテリ装置に保持されており、ナット部材１９ａの回動操作は接続コネクタ１５ａとケース本体１０ａ（筒状部１２３ａ）に摺接しながら行われるため回動方向が誘導されて安定して電動リール２０の給電接続部２１に取り付けができる。
【００４２】
また、電動リール２０の給電接続部２１に取り付けられると、保持手段のナット部材１９ａは、その内側は接続コネクタ１５ａの外側に当接され、その外側はケース本体１０ａ（筒状部１２３ａ）が当接するか、又は、少なくとも接続コネクタ１５ａがその可撓性により撓ったときにケース本体１０（筒状部１２３ａ）が当接するようになっている。したがって、釣りの操作で魚釣用バッテリ装置が振動してもその振動が緩和され、ナット部材１９の電動リール２０の給電接続部２１に対する緩みが防止される。
【００４３】
さらに、図８に示す第４の実施の形態においては、ケース本体１０ｂを収容部１１ｂと蓋部１２ｂで形成して上記電池本体１３及び制御部１４が収容する。そして、この蓋部１２ｂ上には、取付体９が被着される。このように取付対９を介して接続コネクタ１５ｂをケース本体１０ｂに取り付けても、取付体は、ケース本体１０ｂの一部と見なすことができる。この取付体９には、一対の凹状接続端子１５１ｂの設けられた接続コネクタ１５ｂがパッキン部材１７ｂを介して封止されて取付けられ、上記ケース本体１０ｂと協働して上記電池本体１３及び制御部１４を密閉収容する。この一対の凹状接続端子１５１ｂは、上記制御部１４に電気的に接続される。
【００４４】
上記接続コネクタ１５ｂには、例えばリング状の係合部１５２ｂが設けられ、この係合部１５２ｂに対応して保持手段を構成するナット部材１９ｂが回転操作自在に設けられる。保持手段のナット部材１９ｂは、その内側に接続コネクタ１５ｂが挿通されて、ナット部材１９ｂの内側に接続コネクタ１５ｂが、外側に取付体９の筒状部１２３ｂが配されて両者と近設または一部が接触した状態で魚釣り用バッテリ装置に保持されている。ナット部材１９ｂの回動操作は接続コネクタ１５ｂと取付体９の筒状部１２３ｂに摺接しながら行われるため回動方向が誘導されて安定して電動リール２０の給電接続部２１に取り付けができる。
【００４５】
また、電動リール２０の給電接続部２１に取り付けられると、保持手段のナット部材１９ｂは、その内側は接続コネクタ１５ｂの外側に当接され、その外側は取付体９の筒状部１２３ｂが周囲を囲むように配されて当接するか、又は、少なくとも接続コネクタ１５ｂがその可撓性により、撓ったときに取付体９の筒状部１２３ｂが当接するようになっている。したがって、釣りの操作で魚釣用バッテリ装置が振動してもその振動が緩和され、ナット部材１９の電動リール２０の給電接続部２１に対する緩みが防止される。
【００４６】
接続コネクタ１５ｂはケース本体１０ｂよりも可撓性が大きく、柔らかい合成樹脂で形成されている。また、上記取付体９には、保護キャップ１８１ｂの設けられる弾性腕部１８ｂが取付けられる。
【００４７】
また、上記実施の形態では、給電した電力を用いて電動リール２０のスプール駆動モータを駆動する場合について説明したが、これに限ることなく、その他、電動リール内に内装される給電を必要とする全ての給電部品に対して給電ことが可能である。
【００４８】
さらに、上記実施の形態では、電動リール２０の電源として使用した場合について説明したが、これに限ることなく、その他、糸長計測装置等の給電を必要とする給電部品の電源として使用することも可能である。
【００４９】
また、上記第１、第３及び第４の実施の形態では、ケース本体１０（１０ａ，１０ｂ）にナット部材１９（１９ａ、１９ｂ）を回転操作自在に設け、電動リール２０の給電接続部２１の口金部２２の周囲に螺子部２３を設けて、ナット部材１９（１９ａ、１９ｂ）を口金部２２の螺子部２３に螺合させてケース本体１０（１０ａ，１０ｂ）を取付けるように構成し、第２の実施の形態では、蓋部１２に弾性係止部１２２を設けて、電動リール２０の給電接続部２１の口金部２２に凹状係止部２２１を形成して相互間を弾性係合させて取付けるように構成した場合で説明したが、これに限ることなく、その他、各種の保持手段を用いて相互間を取付けるように構成することが可能である。
【００５０】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００５１】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００５２】
【図１】この発明の第１の実施の形態に係る魚釣用バッテリ装置を示した断面図である。
【図２】図１のケース本体を電動リールに装着する前の状態を示した一部断面図である。
【図３】図１のケース本体を電動リールに装着した状態を示した一部断面図である。
【図４】この発明の第２の実施の形態に係る魚釣用バッテリ装置を示した一部断面図である。
【図５】図４のケース本体を電動リールに装着した状態を示した一部断面図である。
【図６】図５の要部を拡大して示した一部断面図である。
【図７】この発明の第３の実施の形態に係る魚釣用バッテリ装置を示した断面図である。
【図８】この発明の第４の実施の形態に係る魚釣用バッテリ装置を示した断面図である。
【符号の説明】
【００５３】
９…取付体、１０，１０ａ，１０ｂ…ケース本体、１１，１１，１１ｂ…収容部、１２，１２ａ,１２ｂ…蓋部、１２１…取付け穴部、１２２…弾性係止部、１２３…筒状部、１２４…開口、１２５…突部、１３…電池本体、１４…制御部、１５,１５ａ、１５ｂ…接続コネクタ、１５１,１５１ａ、１５１ｂ…凹状接続端子、１５２,１５２ａ、１５２ｂ…係合部、１６…取付け部材、１７，１７ｂ…パッキン部材、１８，１８ａ，１８ｂ…弾性腕部、１８１，１８１ａ，１８１ｂ…保護キャップ、１９，１９ａ，１９ｂ…ナット部材、２０…電動リール、２１…給電接続部、２２…口金部、２２１…凹状係止部、２３…螺子部、２４…接続端子、２５…弾性腕部、２５１…保護キャップ、３０…竿杆、３０１…握り部。
【図１】
2006149368.tif 000003
【図２】
2006149368.tif 000004
【図３】
2006149368.tif 000005
【図４】
2006149368.tif 000006
【図５】
2006149368.tif 000007
【図６】
2006149368.tif 000008
【図７】
2006149368.tif 000009
【図８】
2006149368.tif 000010